(57)【特許請求の範囲】
【請求項１】
媒体が集積されてなる媒体束を取り込む取込孔と、
前記取込孔よりも下側に配置され、前記媒体束を収納する媒体束収納空間と、
前記取込孔と前記媒体束収納空間とを結び、水平方向に対し傾斜された主案内面と、
前記主案内面との間に少なくとも所定の案内間隔を隔てて対向する副案内面と、
前記主案内面及び前記副案内面の間に形成され、前記媒体束を前記媒体束収納空間へ案内する案内空間と
を具えることを特徴とする媒体束収納装置。
【請求項２】
前記案内間隔は、前記媒体束の進行方向に沿った前記媒体の長さよりも短い
ことを特徴とする請求項１に記載の媒体束収納装置。
【請求項３】
前記媒体束収納空間が内部に形成された収納体と、
前記取込孔、前記主案内面、前記副案内面及び前記案内空間が設けられ、前記収納体に対する位置を変位させることにより前記媒体束収納空間を開放又は閉塞する蓋体と
をさらに具えることを特徴とする請求項１に記載の媒体束収納装置。
【請求項４】
前記収納体の内部に前記媒体束収納空間とは別に形成され、前記媒体を収納する別収納空間
をさらに具え、
前記蓋体は、前記収納体に対する位置を変位させることにより前記媒体束収納空間及び前記別収納空間を開放又は閉塞する
ことを特徴とする請求項３に記載の媒体束収納装置。
【請求項５】
前記収納体の内部に前記媒体束収納空間とは別に形成され、前記媒体を収納する別収納空間と、
前記収納体に対する位置を変位させることにより前記別収納空間を開放又は閉塞する別蓋体と
をさらに具えることを特徴とする請求項３に記載の媒体束収納装置。
【請求項６】
前記媒体を収納する別収納空間及び前記媒体束収納空間が内部に形成された収納体と、
前記収納体に対する位置を変位させることにより前記媒体束収納空間を開放又は閉塞し、前記主案内面及び前記副案内面の一方が設けられた蓋体と、
前記収納体に対する位置を変位させることにより前記別収納空間を開放又は閉塞し、前記主案内面及び前記副案内面の他方が設けられた別蓋体と、
をさらに具え、
前記案内空間は、前記蓋体及び前記別蓋体が閉塞されている場合に前記主案内面および前記副案内面との間に形成される
ことを特徴とする請求項１に記載の媒体束収納装置。
【請求項７】
紙面を上下に向けた姿勢で前記媒体を前記別収納空間内へ放出する放出部と、
前記別収納空間内へ放出された前記媒体を前記放出部から離れる方向へ叩き付ける舌片と
をさらに具えることを特徴とする請求項４ないし請求項６の何れかに記載の媒体束収納装置。
【請求項８】
紙面を上下に向けた姿勢で前記媒体を前記別収納空間内へ放出する放出部と、
前記別収納空間内における前記放出部と対向する箇所に設けられ、前記媒体の先端による前記放出部から離れる方向への摺動を防止する摺動防止部と
をさらに具えることを特徴とする請求項４ないし請求項７の何れかに記載の媒体束収納装置。
【請求項９】
媒体が集積されてなる媒体束を搬送する束搬送部と、
前記束搬送部により搬送された前記媒体束を取り込んで収納する媒体束収納庫と
を具え、
前記媒体束収納庫は、
前記束搬送部から前記媒体束を取り込む取込孔と、
前記取込孔よりも下側に配置され、前記媒体束を収納する媒体束収納空間と、
前記取込孔と前記媒体束収納空間とを結び、水平方向に対し傾斜された主案内面と、
前記主案内面との間に少なくとも所定の案内間隔を隔てて対向する副案内面と、
前記主案内面及び前記副案内面の間に形成され、前記媒体束を前記媒体束収納空間へ案内する案内空間と
を具えることを特徴とする媒体処理装置。
【発明の詳細な説明】
【技術分野】
【０００１】
本発明は媒体束収納装置及び媒体処理装置に関し、例えば媒体としての紙幣を出金する紙幣出金機に適用して好適なものである。
【背景技術】
【０００２】
従来、金融機関等で使用される紙幣出金機おいては、利用者（例えば金融機関の顧客）からの要求に応じて紙幣や硬貨等の現金を出金するものが広く普及している。
【０００３】
紙幣出金機としては、例えば紙幣を収納する紙幣収納庫と、紙幣を搬送する搬送部と、紙幣を鑑別する鑑別部と、出金可能な紙幣を集積し紙幣束とする集積部と、出金すべきで無いリジェクト紙幣を収納するリジェクト収納庫と、紙幣束を搬送する束搬送部と、利用者に紙幣束を引き渡す出金口とを有するものが提案されている（例えば、特許文献１参照）。
【先行技術文献】
【特許文献】
【０００４】
【特許文献１】特許第５１５６０９７号公報（第１図）
【発明の概要】
【発明が解決しようとする課題】
【０００５】
ところでリジェクト収納庫は、例えば束搬送部の下方に配置され、当該束搬送部と連通する取込孔が上面に形成されたものがある。紙幣出金機は、利用者が出金口から紙幣束を取り忘れた場合、この紙幣束を束搬送部により取り込み、束搬送部により搬送して取込孔からリジェクト収納庫内へ落下させて、当該リジェクト収納庫に収納することができる。
【０００６】
しかしながらリジェクト収納庫では、取込孔から落下する紙幣束が束搬送部からの落下中に姿勢を変化させ、或いは集積を崩す場合がある。このような場合、紙幣出金機では、リジェクト収納庫の内部に紙幣が雑然と収納され、回収時にこれらを整理する作業が必要になるおそれや、当該リジェクト収納庫の取込孔から束搬送部等へ紙幣の一部がはみ出してしまい、以降の出金動作等に支障を来すおそれがある、という問題があった。
【０００７】
本発明は以上の点を考慮してなされたもので、取り込んだ媒体束を整然と収納できる媒体束収納装置及び媒体処理装置を提案しようとするものである。
【課題を解決するための手段】
【０００８】
かかる課題を解決するため本発明の媒体束収納装置においては、紙葉状の媒体束を取り込む取込孔と、取込孔よりも下側に配置され、媒体束を収納する媒体収納空間と、取込孔と媒体束収納空間とを結び、水平方向に対し傾斜された主案内面と、主案内面との間に少なくとも所定の案内間隔を隔てて対向する副案内面と、主案内面及び副案内面の間に形成され、媒体束を媒体束収納空間へ案内する案内空間とを設けるようにした。
【０００９】
また本発明の媒体処理装置においては、紙葉状の媒体束を搬送する束搬送部と、束搬送部により搬送された媒体束を取り込んで収納する媒体束収納庫とを設け、媒体束収納庫に、束搬送部から媒体束を取り込む取込孔と、取込孔よりも下側に配置され、媒体束を収納する媒体束収納空間と、取込孔と媒体束収納空間とを結び、水平方向に対し傾斜された主案内面と、主案内面との間に少なくとも所定の案内間隔を隔てて対向する副案内面と、主案内面及び副案内面の間に形成され、媒体束を媒体束収納空間へ案内する案内空間とを設けるようにした。
【００１０】
これにより、取込孔から取り込んだ媒体束を、案内空間において主案内面に沿って摺動させながら進行させることができるので、当該案内空間内で媒体束の姿勢を崩すことなく媒体束収納空間へ到達させ、整然と収納することができる。
【発明の効果】
【００１１】
本発明によれば、取り込んだ媒体束を整然と収納できる媒体束収納装置及び媒体処理装置を実現できる。
【図面の簡単な説明】
【００１２】
【図１】紙幣出金機の構成を示す略線図である。
【図２】リジェクト収納庫の構成を示す略線図である。
【図３】リジェクト収納庫における蓋体の開放を示す略線図である。
【図４】従来のリジェクト庫の構成を示す略線図である。
【図５】従来のリジェクト庫の構成を示す略線図である。
【図６】他の実施の形態によるリジェクト庫の構成を示す略線図である。
【図７】他の実施の形態によるリジェクト庫の構成を示す略線図である。
【図８】他の実施の形態によるリジェクト庫の構成を示す略線図である。
【発明を実施するための形態】
【００１３】
以下、発明を実施するための形態（以下実施の形態とする）について、図面を用いて説明する。
【００１４】
［１．紙幣出金機の構成］
図１に模式的な側面図を示すように、紙幣出金機１は、いわゆるキャッシュディスペンサとなっており、例えば金融機関や各種商業施設等に設置され、利用者（すなわち金融機関や商業施設の顧客等）の操作に応じて紙幣を出金するようになっている。この紙幣出金機１は、大きく分けて下側の収納ユニット２及び上側の束搬送ユニット３により構成されており、さらに全体を制御する制御部４が組み込まれている。
【００１５】
制御部４は、図示しないＣＰＵ（Central Processing Unit）を中心に構成されており、図示しないＲＯＭ（Read Only Memory）やフラッシュメモリ等から所定のプログラムを読み出して実行することにより、出金処理等の処理を行う。また制御部４は、内部にＲＡＭ（Random Access Memory）、ハードディスクドライブやフラッシュメモリ等でなる記憶部を有しており、この記憶部に種々の情報を記憶させる。
【００１６】
以下では、紙幣出金機１のうち顧客が対峙する側を前側とし、その反対を後側とし、当該前側に対峙した顧客から見て左及び右をそれぞれ左側及び右側とし、さらに上側及び下側を定義して説明する。
【００１７】
［１−１．収納ユニットの構成］
収納ユニット２は、直方体状の収納筐体１０内に、紙幣に関する種々の処理を行う複数の部分が組み込まれている。この収納筐体１０内には、４個の紙幣収納庫１１、搬送部１３、鑑別部１４、切替部１５、集積部１６及びリジェクト収納庫１７が設けられている。
【００１８】
紙幣収納庫１１は、収納筐体１０の後側における上下方向の中央から下側にかけて、互いに積み重なるように取り付けられ、それぞれに対して予め定められた金種の紙幣を収納する。また紙幣収納庫１１の前側下部には、収納されている紙幣を１枚ずつに分離して繰り出す繰出部が設けられている。
【００１９】
搬送部１３は、図示しないローラやベルト、或いはこれらを駆動するモータ等により、紙幣を搬送する経路である搬送路を構成している。この搬送路は、図中に実線で示すように、各紙幣収納庫１１の繰出部と接続され、各紙幣収納庫１１の前側を上下方向に沿って進行し、さらに最も上方に位置する紙幣収納庫１１の上側における前後方向の中央付近まで到達するように配設されている。
【００２０】
鑑別部１４は、最も上側に位置する紙幣収納庫１１の前側に、搬送部１３の搬送路に沿って設けられている。この鑑別部１４は、内部に厚みセンサやイメージセンサといった複数種類のセンサが組み込まれており、各センサから得られた情報を基に、搬送される紙幣の金種や走行状態等を鑑別し、その鑑別結果を制御部４へ供給する。制御部４は、得られた鑑別結果を基に、各紙幣の搬送先を決定する。具体的に制御部４は、出金すべき正常な紙幣の搬送先を集積部１６に、搬送不良等により出金すべきで無い紙幣（以下これをリジェクト紙幣と呼ぶ）の搬送先をリジェクト収納庫１７に、それぞれ決定する。
【００２１】
切替部１５は、最も上側に位置する紙幣収納庫１１の上側における前後方向のほぼ中央に配置されており、制御部４の制御に基づき、紙幣に当接して進行方向を変化させるブレード（図中三角形で示す）の傾斜角度を変更することにより、紙幣の搬送経路を切り替える。また切替部１５は、搬送部１３により、下側の鑑別部１４、前側の集積部１６及び後側のリジェクト収納庫１７とそれぞれ接続されている。この切替部１５は、下方から搬送されてきた紙幣それぞれの進行方向を、制御部４において決定された搬送先に応じて切り替え、前側の集積部１６又は後側のリジェクト収納庫１７へ進行させる。
【００２２】
集積部１６は、収納筐体１０内における最も上側の前側に位置しており、内部に紙幣を集積する集積空間１６Ｓを形成している。この集積部１６は、集積空間１６Ｓ内に、上面に紙幣を集積するためのステージ１６Ｔを有している。
【００２３】
また集積部１６における後側上寄りには、切替部１５から搬送されてきた紙幣を集積空間１６Ｓ内へ放出する放出部が設けられている。集積部１６は、切替部１５から搬送されてきた紙幣を放出部により集積空間１６Ｓ内へ放出し、ステージ１６Ｔ上に束状に集積させていく。このため以下では、このように積み重ねられた紙幣を紙幣束Ｗとも呼ぶ。因みに紙幣束Ｗは、紙帯等により施封されたものでは無く、単純に積み重ねられたものであるため、不用意に外力が加えられた場合、崩れる可能性がある。
【００２４】
さらにステージ１６Ｔは、図示しないステージ移動機構により、上下方向へ移動することができる。また集積部１６の上面には、集積空間１６Ｓに相当する範囲に渡り、上下方向に貫通する集積孔１６Ｈが穿設されている。この集積孔１６Ｈは、収納筐体１０の上面も貫通しており、集積空間１６Ｓと収納筐体１０よりも上側の空間とを連通させている。このため集積部１６は、ステージ１６Ｔに紙幣を集積した状態で当該ステージ１６Ｔを上方へ移動させることにより、当該ステージ１６Ｔ及び集積した束状の紙幣（紙幣束Ｗ）を収納筐体１０の上面よりも上側、すなわち束搬送ユニット３の内部まで持ち上げることができる。
【００２５】
リジェクト収納庫１７は、収納筐体１０内における最も上側の後側に位置しており、内部に紙幣及び紙幣束Ｗを収納する空間を有している。リジェクト収納庫１７は、前面のやや下寄りに、紙幣を１枚ずつ通過させる通過孔１７Ｕが設けられており、また上面に取込孔１７Ｈが形成されている。
【００２６】
このためリジェクト収納庫１７は、切替部１５から搬送され通過孔１７Ｕを通過した紙幣（すなわちリジェクト紙幣）を内部に収納することができる。またリジェクト収納庫１７は、上方に位置する束搬送ユニット３から紙幣束Ｗが落下してきた場合、この紙幣束Ｗを取込孔１７Ｈから取り込んで内部に収納することができる。
【００２７】
さらに紙幣収納庫１１及びリジェクト収納庫１７は、収納筐体１０に対し後方向へ引き抜かれることにより、当該収納筐体１０から取り外すことができ、また当該収納筐体１０に対し位置を合わせて前方向へ押し込まれることにより、当該収納筐体１０に装着することができる。
【００２８】
［１−２．束搬送ユニットの構成］
束搬送部としての束搬送ユニット３は、全体として、上下方向に短く前後方向に長い、扁平な直方体状に形成されており、その前後方向の長さが収納ユニット２よりも長くなっている。束搬送ユニット３は、直方体状の束搬送筐体２０内に組み込まれた種々の部材により、紙幣束Ｗを搬送するときに当該紙幣束Ｗが通過する経路である束搬送路３Ｙを形成している。また束搬送筐体２０の前端、すなわち束搬送路３Ｙの前端には、紙幣束Ｗを利用者に引き渡す出金口２６が形成されている。
【００２９】
因みに束搬送路３Ｙにおける複数の箇所、例えば出金口２６の近傍等には、それぞれ紙幣束Ｗを検知するためのセンサが設けられている。このセンサは、所定の検知光を発光する発光素子及びこの検知光を受光する受光素子の組み合わせにより構成され、当該検知光の光路を束搬送路３Ｙと交差させており、当該検知光の受光結果を制御部４に通知する。制御部４は、この受光結果を基に、束搬送路３Ｙ上における各箇所にそれぞれ紙幣束Ｗがあるか否かを判断することができる。
【００３０】
束搬送筐体２０内における上側部分には、上搬送ベルト２１が設けられている。上搬送ベルト２１は、後端近傍及び前端近傍にそれぞれ配置されたローラの周囲に掛け回されており、制御部４の制御に基づき所定のモータ（図示せず）によってローラが回転されると、その下面を前後方向に沿って走行させる。説明の都合上、以下では、上搬送ベルト２１における下面部分の走行方向を、当該上搬送ベルト２１の走行方向と見なす。
【００３１】
束搬送筐体２０内における上搬送ベルト２１の下側部分、すなわち束搬送路３Ｙを挟んで上搬送ベルト２１の反対側には、挟持搬送ガイド２２及び下搬送ベルト２４が設けられている。
【００３２】
挟持搬送ガイド２２は、上下方向に薄い扁平な直方体状ないし板状に形成されており、その上面を上搬送ベルト２１の下面と対向ないし当接させている。因みに挟持搬送ガイド２２における左右方向の長さは、紙幣における長辺の長さよりも長くなっている。また挟持搬送ガイド２２は、収納ユニット２における収納筐体１０の上面に対し、図示しない移動機構を介して、前後方向へ移動可能に取り付けられている。この挟持搬送ガイド２２は、後方へ移動した場合、集積孔１６Ｈを開放して集積部１６内の空間と束搬送路３Ｙとを連通させる。また挟持搬送ガイド２２は、前方へ移動した場合、取込孔１７Ｈを開放しリジェクト収納庫１７内の空間と束搬送路３Ｙとを連通させる。
【００３３】
下搬送ベルト２４は、上搬送ベルト２１を前後方向に短縮したような構成となっている。この下搬送ベルト２４における上面部分は、挟持搬送ガイド２２の上面と同等に揃えられ、上搬送ベルト２１の下面と対向ないし当接している。すなわち下搬送ベルト２４の上面は、挟持搬送ガイド２２の上面と共に、束搬送路３Ｙの下面部分を形成している。また下搬送ベルト２４の上面は、上搬送ベルト２１の下面と同様、前後方向に走行する。説明の都合上、以下では、下搬送ベルト２４における上面部分の走行方向を、当該下搬送ベルト２４の走行方向と見なす。
【００３４】
また集積部１６のステージ１６Ｔは、挟持搬送ガイド２２が前方へ移動された状態（図１）において、上方へ移動されることにより、その上面の高さを、挟持搬送ガイド２２とほぼ同等に揃える。これによりステージ１６Ｔは、束搬送路３Ｙの一部を形成することになる。
【００３５】
ラッセル部２５は、挟持搬送ガイド２２、下搬送ベルト２４及びステージ１６Ｔの上面に沿って、紙幣束Ｗを押すことにより前後方向へ移動させる。これにより紙幣束Ｗは、各紙幣の短辺を前後方向に沿わせた姿勢で、束搬送路３Ｙに沿って前後方向へ進行することができる。
【００３６】
［１−３．リジェクト収納庫の構成］
次に、リジェクト収納庫１７の構成について説明する。図２（Ａ）に示すように、リジェクト収納庫１７は、下側部分を占める収納体３１と、上側部分を占める蓋体３２とが回動部３３を介して接続された構成となっている。
【００３７】
収納体３１及び蓋体３２は、何れも直方体状に形成されており、前後方向及び左右方向の長さを互いに一致させている。回動部３３は、中心軸を左右方向に向けた回動機構となっており、収納体３１における前面の上端近傍及び蓋体３２における前面の下端近傍にそれぞれ取り付けられている。この回動部３３は、収納体３１に対し蓋体３２を図の時計回りとなる矢印Ｒ１方向又はその反対の矢印Ｒ２方向へ回動させることができる。
【００３８】
すなわちリジェクト収納庫１７は、図２（Ａ）に示すように収納体３１の真上に蓋体３２を重ねた状態（以下これを閉塞状態と呼ぶ）から収納体３１を矢印Ｒ１方向へ回動させることにより、図３に示すように収納体３１の前上方に蓋体３２を位置させた状態（以下これを開放状態と呼ぶ）に遷移させることができる。またリジェクト収納庫１７は、開放状態（図３）から蓋体３２が矢印Ｒ２方向へ回動されることにより、当該蓋体３２を収納体３１の真上に重ねた閉塞状態（図２（Ａ））に戻ることができる。
【００３９】
また収納体３１の後面には、鍵Ｋ１により施錠又は解錠される錠３４が設けられている。この錠３４は、蓋体３２が閉塞状態であるときに施錠されると、この閉塞状態を維持して開放状態への遷移を禁止する。また錠３４は、鍵Ｋ１により解錠されると、蓋体３２の開放状態への遷移を許容する。
【００４０】
収納体３１は、上面が開放された中空の直方体状に形成されている。収納体３１の内部は、前後方向のほぼ中央に位置する板状の仕切板３５により、前側に位置する別収納空間としての第１収納空間３６と、後側に位置する媒体束収納区間としての第２収納空間３７（図中の粗い破線で囲った部分）とに区切られている。
【００４１】
収納体３１の前面、すなわち第１収納空間３６の前面には、上述したように切替部１５から搬送されてくる紙幣を通過させるための通過孔１７Ｕが形成されている。また第１収納空間３６内における通過孔１７Ｕの後方には、放出部４０が設けられている。この放出部４０は、駆動ローラ４１及び従動ローラ４２により構成されている。
【００４２】
駆動ローラ４１は、中心軸を左右方向に向けた短い円柱状に形成されており、図示しない駆動源から駆動力が伝達されることにより、矢印Ｒ２方向へ回転する。因みに放出部４０には、複数の駆動ローラ４１が、左右方向に並べて配置されている。この駆動ローラ４１は、その上端が通過孔１７Ｕとほぼ同等となるように、その高さが調整されている。
【００４３】
従動ローラ４２は、駆動ローラ４１と同様に中心軸を左右方向に向けた短い円柱状に形成されており、自在に回転するようになっている。因みに放出部４０には、駆動ローラ４１と同数の従動ローラ４２が、各駆動ローラ４１とそれぞれ対応する位置に、左右方向に並べて配置されている。この従動ローラ４２は、図示しないばねにより駆動ローラ４１に押し付けられており、駆動ローラ４１から駆動力が伝達されることにより、矢印Ｒ１方向に回転する。
【００４４】
また第１収納空間３６内には、舌片ローラ４３が設けられている。舌片ローラ４３は、駆動ローラ４１よりも半径が小さい円柱状でなる中心部に対して、放射方向に沿って細長く形成された弾性体でなる複数の舌片部が取り付けられた構成となっている。この舌片ローラ４３は、中心部が駆動ローラ４１の中心軸に取り付けられており、駆動ローラ４１と同様に矢印Ｒ２方向へ回転する。
【００４５】
さらに、第１収納空間３６の前内側面、すなわち仕切板３５の後面には、摺動防止溝４４が形成されている。この摺動防止溝４４は、左右方向に沿って形成されており、且つ上下方向に複数並べられている。摺動防止溝４４は、下側の側面がほぼ水平に沿っている一方、上側の側面が後斜め下方を向いている。
【００４６】
かかる構成により放出部４０は、駆動ローラ４１及び従動ローラ４２がそれぞれ矢印Ｒ２方向及び矢印Ｒ１方向へ回転した状態で通過孔１７Ｕから紙幣が挿入されると、この紙幣を挟持して後方へ進行させ、第１収納空間３６内へ放出する。放出された紙幣は、仕切板３５の前面、すなわち摺動防止溝４４に衝突することにより、前端を下方へ滑らせること無く、ほぼ水平に沿った姿勢を維持する。さらに舌片ローラ４３は、回転する舌片部により紙幣の前端近傍を下方へ、すなわち放出部４０から遠ざかる方向であり、当該紙幣が集積されるべき方向へ叩き付けて、この紙幣を当該第１収納空間３６内に集積させる。
【００４７】
蓋体３２は、全体的として周囲が閉塞された直方体状に形成されているものの、上面における中央よりも後側に形成された取込孔１７Ｈと、下面における中央よりも前側に形成された挿通孔５１とを結ぶようにして、斜め方向に沿った案内空間５２（図中の細かい破線で囲った部分）を形成している。この案内空間５２は、蓋体３２が閉塞状態（図２（Ａ））であるとき、挿通孔５１を介して第２収納空間３７と連通されている。また蓋体３２の下面における挿通孔５１よりも後側及び前側の部分は、それぞれ後下側板５３及び前下側板５４により閉塞されている。
【００４８】
案内空間５２の前側には、主案内面５５が形成されている。主案内面５５は、前上側と後下側とを結び後上側を向いた平面状の傾斜面となっている。主案内面５５の下端は、リジェクト収納庫１７が閉塞状態であるときに、仕切板３５における上端のほぼ真上に位置している。
【００４９】
案内空間５２の後側には、副案内面５６が形成されている。副案内面５６は、前上側と後下側とを結び前下側を向いた平面状の傾斜面となっている。この副案内面５６は、主案内面５５とほぼ平行となるように対向している。また、副案内面５６と主案内面５５との間隔である案内間隔Ｄ１は、紙幣束Ｗの集積枚数が最も多い場合（例えば１００枚）の厚さよりも長く、且つ紙幣における短辺の長さ、すなわち紙幣束Ｗが束搬送路３Ｙ（図１）に沿って搬送されるときの進行方向に沿った長さよりも短くなっている。
【００５０】
さらに蓋体３２の上面近傍には、シャッタ５７が設けられている。シャッタ５７は、上下方向に薄い板状に形成されており、前後方向及び左右方向の長さが取込孔１７Ｈよりもそれぞれ大きくなっている。このシャッタ５７は、前後方向へ移動可能に構成されている。すなわちシャッタ５７は、後方へ移動された場合には、図２（Ａ）に示したように取込孔１７Ｈを閉塞し、前方へ移動された場合には、図２（Ｂ）に示すように、取込孔１７Ｈを開放する。
【００５１】
このシャッタ５７は、収納ユニット２の収納筐体１０に対するリジェクト収納庫１７の着脱と連動して開閉するようになっている。すなわちシャッタ５７は、収納筐体１０にリジェクト収納庫１７が装着されるときに、後方へ移動されて取込孔１７Ｈを開放する。またシャッタ５７は、収納筐体１０からリジェクト収納庫１７が取り外されるときに、前方へ移動されて取込孔１７Ｈを閉塞する。
【００５２】
［２．出金動作及び取込動作］
紙幣出金機１は、図示しない操作部により利用者から出金の指示及び出金額を受け付けると、出金動作を開始する。具体的に紙幣出金機１の制御部４は、紙幣収納庫１１から出金額に応じた金種及び枚数の紙幣を順次繰り出させ、当該紙幣の短辺に沿った方向を進行方向として搬送部１３により上方へ搬送し、鑑別部１４により鑑別させる。このとき制御部４は、鑑別部１４から得られる鑑別結果を基に、紙幣が出金可能であるか否かに応じて、その搬送先を集積部１６又はリジェクト収納庫１７に決定する。
【００５３】
続いて制御部４は、鑑別部１４により鑑別された紙幣を、搬送部１３により後方及び上方へ搬送して切替部１５に到達させる。切替部１５は、制御部４の制御に基づき、紙幣それぞれについて決定された搬送先に応じて進行方向を切り替え、集積部１６又はリジェクト収納庫１７へ進行させる。リジェクト収納庫１７（図２）は、切替部１５（図１）から搬送されてきた紙幣（すなわちリジェクト紙幣）を放出部４０により第１収納空間３６内へ放出して集積させる。
【００５４】
集積部１６は、搬送されてきた紙幣を放出部により集積空間１６Ｓ内へ放出し、ステージ１６Ｔ上に集積させる。制御部４は、搬送先を集積部１６とした紙幣、すなわち集積部１６に集積した紙幣の金種及び枚数を逐次集計しており、集計した金額が出金額に到達した段階で、紙幣収納庫１１からの紙幣の繰出を中止する。この結果、集積部１６のステージ１６Ｔ上には、出金額の紙幣が束状に集積された紙幣束Ｗが載置される。
【００５５】
次に制御部４は、挟持搬送ガイド２２を後方へ移動させることにより集積部１６の集積孔１６Ｈを開放すると共に取込孔１７Ｈを閉塞してから、ステージ１６Ｔを上方へ移動させることにより、紙幣束Ｗを持ち上げて束搬送路３Ｙ内に位置させる。さらに制御部４は、上搬送ベルト２１を前方へ走行させると共にラッセル部２５を前方へ移動させることにより、紙幣束Ｗを束搬送路３Ｙに沿って前方へ進行させていく。このとき制御部４は、紙幣束Ｗが下搬送ベルト２４の上面に当接する位置に到達すると、上搬送ベルト２１及び当該下搬送ベルト２４により当該紙幣束Ｗを上下から挟持し、両ベルトの走行により前方へ搬送させる。
【００５６】
やがて制御部４は、図示しないセンサからの通知を基に紙幣束Ｗが出金口２６に到達したことを検知すると、上搬送ベルト２１及び下搬送ベルト２４の走行を停止させる。さらに制御部４は、ラッセル部２５を束搬送路３Ｙの前端近傍へ到達させることにより、退避機構（図示せず）によって束搬送路３Ｙの上方に退避させる。
【００５７】
このように制御部４は、出金口２６から紙幣束Ｗの一部を露出させ、且つ上搬送ベルト２１及び下搬送ベルト２４により当該紙幣束Ｗの後端近傍を挟持した状態として、出金動作を終了する。これにより紙幣出金機１は、利用者にこの紙幣束Ｗを取り出させることができる。
【００５８】
ここで制御部４は、センサ（図示せず）からの通知を基に、出金口２６から紙幣束Ｗが取り出されたか否かを監視している。そこで所定の待機時間（例えば３０秒間）が経過しても紙幣束Ｗが取り出されなかった場合、制御部４は、紙幣束Ｗの取り忘れが発生したものと見なし、この紙幣束Ｗを取り込む取込動作を開始する。以下、このように利用者が取り忘れた紙幣を取忘紙幣若しくはリトラクト紙幣とも呼ぶ。
【００５９】
具体的に制御部４は、ラッセル部２５を上方へ退避させた状態のまま上搬送ベルト２１及び下搬送ベルト２４を後方へ走行させることにより、紙幣束Ｗを束搬送路３Ｙ内に取り込み、当該束搬送路３Ｙに沿って後方へ進行させていく。このとき制御部４は、図示しないセンサにより紙幣束Ｗがラッセル部２５よりも後方に到達したことを検知すると、当該ラッセル部２５を後方へ移動させ紙幣束Ｗの前側で束搬送路３Ｙ内へ復帰させてから、さらに後方へ移動させることにより、紙幣束Ｗの後方への搬送を補助する。
【００６０】
やがて制御部４は、紙幣束Ｗが取込孔１７Ｈの上方に到達すると、この紙幣束Ｗを束搬送路３Ｙから落下させる。これにより紙幣束Ｗは、束搬送路３Ｙから僅かに下方へ下降した段階で、取込孔１７Ｈからリジェクト収納庫１７内へ入り込む。リジェクト収納庫１７内において紙幣束Ｗは、案内空間５２内で主案内面５５に当接し、その下面を当該主案内面５５に摺動させながら当該案内空間５２内を後下方へ下降していき、やがて第２収納空間３７へ到達して収納される。
【００６１】
このようにリジェクト収納庫１７は、リジェクト紙幣を通過孔１７Ｕから取り込んで第１収納空間３６に収納すると共に、利用者が取り忘れた紙幣束Ｗ（すなわち取忘紙幣の束）を取込孔１７Ｈから取り込み、案内空間５２内を主案内面５５に沿って下降させ第２収納空間３７に到達させて収納する。
【００６２】
［３．効果等］
ここで、本実施の形態によるリジェクト収納庫１７との比較用に、従来のリジェクト収納庫１１７について説明する。従来のリジェクト収納庫１１７は、図４（Ａ）に示すように、本実施の形態における収納体３１及び蓋体３２を一体化した大きさに相当する収納体１３１を中心に構成されている。収納体１３１は、上面及び下面が開放された中空の直方体状に形成されている。
【００６３】
収納体１３１の下面には、薄板状の蓋体１３２が設けられている。蓋体１３２は、回動軸１３３を中心に回動することにより、収納体１３１の下面を閉塞した状態又は開放した状態に遷移することができる。錠１３４は、施錠されることにより蓋体１３２を閉塞した状態に維持し、解錠されることにより蓋体１３２の回動を許容する。
【００６４】
収納体１３１における上下方向のほぼ中央には、前側及び後側においてそれぞれ内部の空間を上下に仕切る固定仕切板１３５及び可動仕切板１３８が設けられている。このため収納体１３１内の空間は、固定仕切板１３５及び可動仕切板１３８により、下側の第１収納空間１３６及び上側の第２収納空間１３７に区切られている。また可動仕切板１３８は、回動軸１３９を中心に回動し得るようになっている。
【００６５】
収納体１３１の上面には、シャッタ１５７が設けられている。このシャッタ１５７は、収納体１３１の上側に位置しているときに、第２収納空間１３７の上側を全体的に閉塞する。またシャッタ１５７は、図４（Ｂ）に示すように、後方へスライドされると共に後端を下方へ向けるように約９０度回転されることにより、第２収納空間１３７の上側を全体的に開放させた状態となる。
【００６６】
因みに従来のリジェクト収納庫１１７は、シャッタ１５７により第２収納空間１３７の上側を閉塞した状態（図４（Ａ））で収納ユニット２の収納筐体１０に装着され、作業者等の手作業によって当該シャッタ１５７が後方へ引き出されて回転されると、第２収納空間１３７の上側を開放した状態（図４（Ｂ））となる。
【００６７】
このようにリジェクト収納庫１１７が収納筐体１０に装着された状態において、第１収納空間１３６は、切替部１５（図１）から搬送されてくるリジェクト紙幣を収納する。また第２収納空間１３７は、出金口２６から取り忘れられた紙幣束Ｗ（すなわち取忘紙幣）が束搬送路３Ｙに沿って搬送された後、当該束搬送路３Ｙから落下されると、当該紙幣束Ｗを収納する。
【００６８】
また従来のリジェクト収納庫１１７は、第２収納空間１３７の上側を開放した状態（図４（Ｂ））からシャッタ１５７を回転させ前方へ移動させて第２収納空間１３７の上側を閉塞した状態（図４（Ａ））に遷移した状態でなければ、収納筐体１０から取り出せないようになっている。
【００６９】
この従来のリジェクト収納庫１１７は、第１収納空間１３６及び第２収納空間１３７に収納された紙幣が作業者等によって回収される場合、第２収納空間１３７の上側をシャッタ１５７により閉塞した状態（図４（Ａ））で収納筐体１０から取り出されると、まず上下反転されて、蓋体１３２を上方に向けた状態となる。
【００７０】
続いてリジェクト収納庫１１７は、図５（Ａ）に示すように、錠３４が解錠された上で、蓋体１３２が回転されることにより第１収納空間１３６を開放し、収納している紙幣を作業者等に取り出させる。さらにリジェクト収納庫１１７は、可動仕切板１３８が回転されることにより、第２収納空間１３７の一部を開放して、第２収納空間１３７内の紙幣束Ｗを作業者等に取り出させる。
【００７１】
しかしながら、従来のリジェクト収納庫１１７では、束搬送路３Ｙから落下された紙幣束Ｗが落下中に姿勢を崩すなどした場合、例えば図５（Ｂ）に示すように、第２収納空間１３７から当該紙幣束Ｗの一部をはみ出させてしまう場合がある。このような場合、従来のリジェクト収納庫１１７では、シャッタ１５７を閉塞できなくなり、収納筐体１０から取り出せなくなる恐れがあった。また従来のリジェクト収納庫１１７では、上下反転時に紙幣の集積状態が崩れる場合もあった。
【００７２】
これに対し、本実施の形態によるリジェクト収納庫１７（図２）では、利用者が取り忘れた紙幣束Ｗ（取忘紙幣）を収納する第２収納空間３７の上方に、十分な厚さを有する蓋体３２を設け、この蓋体３２を斜め方向に貫通する案内空間５２を設けた。このためリジェクト収納庫１７は、上方の束搬送路３Ｙ（図１）から紙幣束Ｗが落下されると、その下面を主案内面５５に当接させ、当該主案内面５５に沿って紙幣束Ｗを下降させ、やがて第２収納空間３７に到達させて収納させる。
【００７３】
このときリジェクト収納庫１７は、束搬送路３Ｙから紙幣束Ｗが落下され取込孔１７Ｈへ入った後、直ちに当該紙幣束Ｗの下面を主案内面５５における上寄りの部分に当接させ、且つ当該紙幣束Ｗの下面を主案内面５５に摺動させながら、案内空間５２内を下方へ進行させていく。このためリジェクト収納庫１７は、案内空間５２内を下降する紙幣束Ｗの姿勢をほぼ一定に保つことができ、最終的に第２収納空間３７内に整然と集積することができる。
【００７４】
またリジェクト収納庫１７は、案内空間５２における主案内面５５と副案内面５６との間隔である案内間隔Ｄ１を、紙幣における短辺の長さよりも短くした。このためリジェクト収納庫１７は、仮に案内空間５２内を下降する紙幣束Ｗの先端（下端）が主案内面５５から浮き上がる等して姿勢を崩しかけたとしても、副案内面５６に当接させることにより当該紙幣束Ｗの回転を阻止し、その姿勢の変化を僅かに抑えることができる。この結果、リジェクト収納庫１７は、第２収納空間３７内において、図５（Ｂ）に示したように紙幣束Ｗが大きく姿勢を崩した状態で収納されることを防止できる。
【００７５】
さらにリジェクト収納庫１７は、第２収納空間３７の上面とシャッタ５７の下面との間隔、すなわち取込孔１７Ｈと挿通孔５１との距離をある程度引き離し、その間に案内空間５２を形成した。換言すれば、紙幣出金機１では、収納筐体１０側ではなく、リジェクト収納庫１７内に案内空間５２を形成した。
【００７６】
このためリジェクト収納庫１７では、仮に第２収納空間３７に到達した紙幣束Ｗが姿勢を崩し、その一部を第２収納空間３７の上面よりも上側に突出させたとしても、この突出した部分を案内空間５２内にとどめ、シャッタ５７の下面まで到達させる可能性が極めて低い。この結果、リジェクト収納庫１７は、従来のリジェクト収納庫１１７において生じる恐れがあった、シャッタ５７を閉塞できないために収納筐体１０から引き出せなくなる、という問題（図５（Ｂ））の発生を回避できる。
【００７７】
そのうえリジェクト収納庫１７は、収納体３１内に第１収納空間３６及び第２収納空間３７を前後に並べるように配置し、その上側を蓋体３２により開放又は閉塞するようにした（図２（Ａ）及び図３）。このためリジェクト収納庫１７は、蓋体３２を開放するだけで、第１収納空間３６内のリジェクト紙幣及び第２収納空間３７内の取忘紙幣の双方を容易に取り出させることができる。
【００７８】
すなわちリジェクト収納庫１７は、従来のリジェクト収納庫１１７（図４）において必要であった、上下を反転させる作業や、蓋体１３２の他に可動仕切板１３８を回転させる作業を行わせること無く、簡易な作業工程により各紙幣を取り出させることができる。またリジェクト収納庫１７は、上下を反転させる必要も無いため、収納された紙幣の集積状態が崩れることも回避できる。
【００７９】
またリジェクト収納庫１７は、第１収納空間３６内に摺動防止溝４４を設けた。リジェクト収納庫１７では、切替部１５から搬送されてきた紙幣（すなわちリジェクト紙幣）を放出部４０から後方へ向けて放出した場合、この紙幣の後端を仕切板３５の前面に衝突させる。このとき摺動防止溝４４は、紙幣の後端が仕切板３５の前面に沿って下方へ滑り降りることを防止して、この紙幣の紙面をほぼ水平な状態に保つことができる。これによりリジェクト収納庫１７では、第１収納空間３６内に紙幣を整然と積み重ねていくことができる。
【００８０】
さらにリジェクト収納庫１７は、第１収納空間３６内に矢印Ｒ２方向に回転する舌片ローラ４３を設けた。リジェクト収納庫１７は、放出部４０から後方へ向けて放出され、後端を仕切板３５の前面に衝突させた紙幣の前端近傍を、舌片ローラ４３の舌片部で下方へ叩き落とすことができる。特にリジェクト収納庫１７は、摺動防止溝４４を設けたため、仕切板３５の前面に衝突した紙幣をほぼ水平な状態に保つことができ、これに伴って紙幣の前端を舌片ローラ４３の回転半径内に極力位置させ、積極的に叩き落とさせることができる。これによりリジェクト収納庫１７は、その次に放出部４０から放出される紙幣と、既に第１収納空間３６内に収納されている紙幣との衝突を回避できるので、集積状態の悪化や紙幣の損傷を未然に防止することができる。
【００８１】
以上の構成によれば、リジェクト収納庫１７は、利用者が取り忘れた紙幣束Ｗ（取忘紙幣）を収納する第２収納空間３７の上方に、十分な厚さを有する蓋体３２を設け、この蓋体３２を斜め方向に貫通する案内空間５２を設けた。リジェクト収納庫１７は、上方の束搬送路３Ｙ（図１）から紙幣束Ｗが取込孔１７Ｈへ落下されると、直ちに当該紙幣束Ｗの下面を主案内面５５における上寄りの部分に当接させ、且つ当該紙幣束Ｗの下面を主案内面５５に摺動させながら、案内空間５２内を下方へ進行させていく。このためリジェクト収納庫１７は、案内空間５２内を下降する紙幣束Ｗの姿勢をほぼ一定に保つことができ、最終的に第２収納空間３７内に整然と集積することができる。
【００８２】
［４．他の実施の形態］
なお上述した実施の形態においては、主案内面５５（図２）を平面状に形成する場合について述べた。しかしながら本発明はこれに限らず、曲面状に形成しても良い。例えば図６（Ａ）に示すリジェクト収納庫２１７のように、案内空間２５２の前側に、曲面でなる主案内面２５５を設けても良い。この場合、束搬送路３Ｙ（図１）から落下してきた紙幣束Ｗの先端が下方向を向いた姿勢であったとしても、当該紙幣束Ｗを主案内面２５５に沿って摺動させることにより、紙面を上下に向けた姿勢、すなわち第２収納空間３７内に収納されるときの姿勢に近づけていくことができる。
【００８３】
また上述した実施の形態においては、副案内面５６と主案内面５５との間隔である案内間隔Ｄ１を、紙幣における短辺の長さよりも短くする場合について述べた。しかしながら本発明はこれに限らず、例えば主案内面５５の水平方向に対する傾斜角度が比較的小さく、紙幣束Ｗが案内空間５２内を落下中に回転する可能性が低い場合等に、案内間隔Ｄ１を紙幣における短辺の長さよりも長くしても良い。
【００８４】
さらに上述した実施の形態においては、水平方向に対する副案内面５６及び主案内面５５の傾斜角度を同等に揃え、両者をほぼ平行とする場合について述べた。しかしながら本発明はこれに限らず、例えば水平方向に対する副案内面５６の傾斜角度を主案内面５５の傾斜角度よりも小さくすることにより、案内空間５２における前後方向の長さに関し、上側よりも下側を広げるようにしても良い。
【００８５】
さらに上述した実施の形態においては、副案内面５６及び主案内面５５を何れも平板の板面として構成する場合について述べた。しかしながら本発明はこれに限らず、例えばいわゆるリブのように、板面を左右方向に向けた複数の板状部材を左右方向に間隔を空けて配置し、その側辺を案内空間５２の前面の位置に合わせて、この側辺の集合により副案内面５６を構成しても良い。要は、落下する紙幣束Ｗを案内空間５２内に止めることができれば、種々の形状でなる副案内面５６を構成しても良い。主案内面５５、後下側板５３及び前下側板５４についても同様である。
【００８６】
さらに上述した実施の形態においては、主案内面５５を案内空間５２の前側に位置させると共に第１収納空間３６のほぼ真上に配置し、第２収納空間３７の前上方から紙幣束Ｗを落下させ、当該主案内面５５に沿って下降させる場合について述べた（図２）。しかしながら本発明はこれに限らず、例えば図６（Ｂ）に示すリジェクト収納庫３１７のように、主案内面３５５を案内空間３５２の後側、すなわち第２収納空間３７のほぼ真上に位置させ、第２収納空間３７の後上方、すなわち第１収納空間３６と反対側の上方から紙幣束Ｗを落下させ、主案内面３５５に沿って下降させるようにしても良い。
【００８７】
さらに上述した実施の形態においては、案内空間５２に対し主案内面５５を出金口２６と同じ前側に位置させる場合について述べた（図２）。しかしながら本発明はこれに限らず、例えば束搬送ユニット３に対する収納ユニット２の取付方向を前後反転させ、収納筐体１０に対し紙幣収納庫１１やリジェクト収納庫１７を後方へ引き出す構成とした場合などに、案内空間５２に対し主案内面５５を出金口２６と反対の後側に位置させるようにしても良い。
【００８８】
さらに上述した実施の形態においては、収納体３１の前上端に回動部３３を配置し、この回動部３３を回動中心として蓋体３２を回動させることにより、第１収納空間３６及び第２収納空間３７の上面を開放又は閉塞させる場合について述べた（図２（Ａ）及び図３）。しかしながら本発明はこれに限らず、例えば回動部３３を収納体３１の後上端や左右の上端に設けるようにしても良い。また、回動部３３に代えて周知のスライド機構やリンク機構を設けても良く、さらには収納体３１に対し蓋体３２を着脱可能に構成しても良い。要は、収納体３１の真上に重なる位置に蓋体３２を位置させた閉塞状態と、第１収納空間３６及び第２収納空間３７の上面を開放した開放状態とを容易に遷移させることができれば良い。
【００８９】
さらに上述した実施の形態においては、収納体３１に対し蓋体３２を矢印Ｒ１方向へ回動させた開放状態とすることにより、第１収納空間３６及び第２収納空間３７の上面を何れも開放する場合について述べた（図３）。しかしながら本発明はこれに限らず、例えば図７（Ａ）に示すリジェクト収納庫４１７のように、収納体４３１における第１収納空間３６の上面に別蓋体としての内蓋４６１を設け、当該内蓋４６１を回動部４３３により蓋体３２と同様に回動可能とし、且つ当該内蓋４６１を第２錠４６２により施錠可能に構成しても良い。
【００９０】
このリジェクト収納庫４１７は、鍵Ｋ１により錠３４が解錠された場合、蓋体３２を回動させて第２収納空間３７を開放するものの、内蓋４６１により第１収納空間３６を閉塞したままとする。さらにリジェクト収納庫４１７は、図７（Ｂ）に示すように、第２鍵Ｋ２により第２錠４６２が解錠された場合、内蓋４６１を回動させて第１収納空間３６を開放することができる。これによりリジェクト収納庫４１７は、例えばセキュリティレベルが低い作業員に鍵Ｋ１のみを持たせ、セキュリティレベルが高い作業員に鍵Ｋ１及び第２鍵Ｋ２を持たせることにより、セキュリティレベルが高い作業員にのみ第１収納空間３６内から紙幣（リジェクト紙幣）を取り出させることができる。
【００９１】
さらに上述した実施の形態においては、収納体３１の上側に、１個の蓋体３２を設ける場合について述べた。しかしながら本発明はこれに限らず、収納体３１の上側に複数に分割された蓋体を設けても良い。例えば、図８（Ａ）に示すリジェクト収納庫５１７は、収納体５３１の上側に、案内空間５２を前後から挟むようにして前側の前蓋体５３２及び後側の後蓋体５６２が設けられている。別蓋体としての前蓋体５３２は、図８（Ｂ）に示すように、収納体５３１の前上端に設けた回動部５３３を回動中心として回動する。また後蓋体５６２は、シャッタ５７と共に、収納体５３１の後上端に設けた回動部５６３を回動中心として回動する。さらに後蓋体５６２には、錠５６４が設けられており、鍵Ｋ１により施錠されると、収納体５３１の上側を閉塞した状態を維持する。また、このリジェクト収納庫５１７では、上述したリジェクト収納庫４１７（図７）と同様に、前蓋体５３２に第２錠を設け、第２鍵によりこの第２錠を解錠した場合にのみ、当該前蓋体５３２を回動させ得るようにしても良い。
【００９２】
さらに上述した実施の形態においては、蓋体３２に対しシャッタ５７を前後方向へスライドさせることにより、取込孔１７Ｈを開放又は閉塞させる場合について述べた。しかしながら本発明はこれに限らず、例えば蓋体３２に対しシャッタ５７を回動させる等、種々の手法により取込孔１７Ｈを開放又は閉塞させるようにしても良い。またシャッタ５７は、１枚の板状部材とする構成に限らず、例えば２枚以上の板状部材により構成しても良い。或いは、例えば取込孔１７Ｈが十分に狭く、且つ上下方向に長いためにセキュリティを確保できる場合などに、シャッタ５７を省略しても良い。
【００９３】
さらに上述した実施の形態においては、第１収納空間３６に舌片ローラ４３及び摺動防止溝４４を設ける場合について述べた。しかしながら本発明はこれに限らず、例えば舌片ローラ４３及び摺動防止溝４４の少なくとも一方を省略しても良い。
【００９４】
さらに上述した実施の形態においては、第１収納空間３６及び第２収納空間３７を設けることにより、リジェクト収納庫１７内に取忘紙幣及びリジェクト紙幣を収納する場合について述べた。しかしながら本発明はこれに限らず、例えば第１収納空間３６を省略することにより、リジェクト収納庫１７内に取忘紙幣のみを収納するようにしても良い。
【００９５】
さらに上述した実施の形態においては、錠３４を設け、鍵Ｋ１により当該錠３４が解錠された場合にのみ、蓋体３２を回動させ得るようにした場合について述べた。しかしながら本発明はこれに限らず、例えば錠３４を省略することにより、リジェクト収納庫１７が収納ユニット２の収納筐体１０（図１）から取り出された状態であれば、自由に蓋体３２を回動させ得るようにしても良い。
【００９６】
さらに上述した実施の形態においては、ラッセル部２５によって挟持搬送ガイド２２等の上面に沿って紙幣束Ｗを押す束搬送ユニット３からリジェクト収納庫１７の取込孔１７Ｈへ当該紙幣束Ｗを落下させる場合について述べた。しかしながら本発明はこれに限らず、例えば紙幣束Ｗを上下から挟持して搬送し、その挟持を解除することにより取込孔１７Ｈへ紙幣束Ｗを落下させる等、種々の手法により紙幣束Ｗを搬送する束搬送部から当該紙幣束Ｗを取込孔１７Ｈへ落下させるようにしても良い。
【００９７】
さらに上述した実施の形態においては、紙幣を束状に集積して出金する紙幣出金機１において、紙葉状の媒体である紙幣が集積されてなる紙幣束Ｗを、上面に設けた取込孔１７Ｈから取り込んで内部の第２収納空間３７に収納するリジェクト収納庫１７に本発明を適用する場合について述べた。しかしながら本発明はこれに限らず、例えば証券や金券、或いは商品券や入場券等、種々の紙葉状の媒体を集積してなる媒体束を取り扱う種々の装置において、上面に設けた取込孔から当該媒体束を取り込んで内部に収納する収納庫に適用しても良い。
【００９８】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【００９９】
さらに上述した実施の形態においては、取込孔としての取込孔１７Ｈと、媒体束収納空間としての第２収納空間３７と、主案内面としての主案内面５５と、副案内面としての副案内面５６と、案内空間としての案内空間５２とによって媒体束収納装置としてのリジェクト収納庫１７を構成する場合について述べた。しかしながら本発明はこれに限らず、その他種々の構成でなる取込孔と、媒体束収納空間と、主案内面と、副案内面と、案内空間とによって媒体束収納装置を構成しても良い。
【０１００】
さらに上述した実施の形態においては、束搬送部としての束搬送ユニット３と、媒体束収納庫としてのリジェクト収納庫１７とにより媒体処理装置としての紙幣出金機１を構成し、当該媒体束収納庫を、取込孔としての取込孔１７Ｈと、媒体束収納空間としての第２収納空間３７と、主案内面としての主案内面５５と、副案内面としての副案内面５６と、案内空間としての案内空間５２とにより構成する場合について述べた。しかしながら本発明はこれに限らず、その他種々の構成でなる束搬送部と、媒体束収納庫とにより媒体処理装置を構成し、当該媒体束収納庫をその他種々の構成でなる取込孔と、媒体束収納空間と、主案内面と、副案内面と、案内空間とにより構成しても良い。
【産業上の利用可能性】
【０１０１】
本発明は、例えば利用者の操作に応じて紙幣を束状に集積して出金する紙幣出金機でも利用できる。
【符号の説明】
【０１０２】
１……紙幣出金機、２……収納ユニット、３……束搬送ユニット、３Ｙ……束搬送路、１０……収納筐体、１１……紙幣収納庫、１７、２１７、３１７、４１７、５１７……リジェクト収納庫、１７Ｈ……取込孔、１７Ｕ……通過孔、２６……出金口、３１、４３１、５３１……収納体、３２……蓋体、３３、４３３、５３３、５６３……回動部、３４、５６４……錠、３５……仕切板、３６……第１収納空間、３７……第２収納空間、４０……放出部、４３……舌片ローラ、４４……摺動防止溝、５１……挿通孔、５２、２５２、３５２……案内空間、５３……後下側板、５４……前下側板、５５、２５５、３５５……主案内面、５６……副案内面、５７……シャッタ、４６１……内蓋、４６２……第２錠、５３２……前蓋体、５６２……後蓋体、Ｋ１……鍵、Ｋ２……第２鍵、Ｗ……紙幣束。
【図１】
0006497120.tif 000002
【図２】
0006497120.tif 000003
【図３】
0006497120.tif 000004
【図４】
0006497120.tif 000005
【図５】
0006497120.tif 000006
【図６】
0006497120.tif 000007
【図７】
0006497120.tif 000008
【図８】
0006497120.tif 000009